(57)【要約】【課題】チョッピング電流により着磁強度を調節し、良好な再生波形を得られる磁気データを記録すること。【解決手段】カードリーダ１はライト用磁気ヘッド６Ａを備える。ライト用コイル６２Ａにライト電流を供給するライト用駆動回路２０は、所定の周期でオンオフが切り換わるチョッピング電流をライト用コイル６２Ａに供給する。制御部９は、チョッピング電流のデューティ比を調節することによって実効電圧を調節し、磁気カード２への着磁強度を調節する。チョッピング電流のオンオフの周波数ｆは、リード用磁気ヘッド６ＢのリードギャップＧｂよりも、チョッピング電流の１回のオンオフの期間（チョッピング周期Ｔ）に記録される着磁パターンの記録方向の長さＬｘの方が短くなるように設定される。これにより、記録した磁気データを読み取った際に良好な再生波形を得ることができる。【選択図】図３
2019109949.tif 000002
【特許請求の範囲】
【請求項１】
磁気カードに磁気データを記録する磁気ヘッドに設けられたライト用コイルと、
前記ライト用コイルにライト電流を供給する駆動回路とを備え、
前記駆動回路は、所定の周期でオンオフが切り換わるチョッピング電流を前記ライト電流として前記ライト用コイルに供給するチョッピング回路であり、
前記チョッピング電流のオンオフの周期は、オンとオフを１回ずつ含む期間に前記チョッピング電流によって前記磁気カードに形成される着磁パターンの記録方向の長さが、前記ライト用コイルが巻かれるコア、もしくは、前記ライト用コイルとは別に設けられたリード用コイルが巻かれるコアに形成されたリードギャップより狭い周期であることを特徴とするカードリーダ。
【請求項２】
前記駆動回路に対して、前記チョッピング電流のオンオフの周期を設定する第１制御信号、および、前記チョッピング電流のデューティ比を設定する第２制御信号を供給する制御部を備えることを特徴とする請求項１に記載のカードリーダ。
【請求項３】
第２制御信号は、前記磁気カードにおける磁気データの着磁強度に対応するデューティ比を設定する信号であることを特徴とする請求項２に記載のカードリーダ。
【請求項４】
前記駆動回路は、モータドライバＩＣであることを特徴とする請求項１から３の何れか一項に記載のカードリーダ。
【請求項５】
磁気カードに磁気データを記録する磁気ヘッドを備えたカードリーダの制御方法であって、
前記磁気ヘッドに設けられたライト用コイルにライト電流を供給する駆動回路から、所定の周期でオンオフが切り換わるチョッピング電流を前記ライト用コイルに供給して、前記磁気カードに磁気データを記録し、
前記チョッピング電流のオンオフの周期は、オンとオフを１回ずつ含む期間に前記チョッピング電流によって前記磁気カードに形成される着磁パターンの記録方向の長さが、前記ライト用コイルが巻かれるコア、もしくは、前記ライト用コイルとは別に設けられたリード用コイルが巻かれるコアに形成されたリードギャップより狭い周期であることを特徴とするカードリーダの制御方法。
【請求項６】
前記駆動回路を制御する制御部から前記駆動回路に対して、チョッピング電流のオンオフの周期を設定する第１制御信号、および、前記チョッピング電流のデューティ比を設定する第２制御信号を供給することを特徴とする請求項５に記載のカードリーダの制御方法。
【請求項７】
前記第２制御信号は、前記磁気カードの磁気データの着磁強度に対応するデューティ比を設定する信号であることを特徴とする請求項６に記載のカードリーダの制御方法。
【発明の詳細な説明】
【技術分野】
【０００１】
本発明は、磁気ヘッドを備えたカードリーダおよびその制御方法に関する。
【背景技術】
【０００２】
カードリーダにおいて、磁気カードに磁気データの書込みを行う磁気ヘッドを備えたものがある。磁気カードは、ＪＩＳやＩＳＯなどの規格において、磁気データを記録する領域の着磁強度のランクが規格化されている。そのため、カードリーダは、これらの規格に対応した電流（以下、ライト電流という）を磁気ヘッドに供給する駆動回路を備えている。特許文献１には、磁気ヘッドにライト電流を供給する回路に抵抗を設けて電流を制限することが記載されている。また、特許文献１には、低抗磁力カード（Ｌｏ−Ｃｏカード）に比べて大きな着磁強度で記録される高抗磁力カード（Ｈｉ−Ｃｏカード）に磁気データを記録するための磁気ヘッドの駆動回路として、電源電圧を切り換える回路が記載されている。
【先行技術文献】
【特許文献】
【０００３】
【特許文献１】特開２００１−２９１２０３号公報
【発明の概要】
【発明が解決しようとする課題】
【０００４】
磁気カードの着磁強度に応じたライト電流を磁気ヘッドに供給して磁気データを記録する際、着磁強度が小さい磁気カードに対しては、特許文献１のように抵抗を用いて電流を制限することや、電源電圧を切り換えて供給する電流の電圧を低くし、着磁強度を小さくすることが行われる。しかしながら、抵抗を用いる場合、許容電流の大きい抵抗を用いる必要があるため、基板上の抵抗実装面積が大きく、駆動回路の大型化およびコスト高が問題となる。また、抵抗からの発熱の影響も問題となる。また、電源電圧を切り換える場合、回路が複雑になる。
【０００５】
そこで、ライト電流としてチョッピング電流を用いることにより、電圧の実効値を下げて着磁強度を調節することが考えられる。しかしながら、チョッピング電流により着磁すると、チョッピング電流のオンオフに起因する変動が磁気カードに形成される着磁パターンに表れる。従って、チョッピング電流により記録した磁気データ（着磁パターン）を読み取る際、良好な再生波形が得られないおそれがある。
【０００６】
以上の問題に鑑みて、本発明の課題は、磁気データを記録する磁気ヘッドを備えたカードリーダにおいて、チョッピング電流を用いて、良好な再生波形を得られる磁気データを記録することが可能なカードリーダおよびその制御方法を提供することにある。
【課題を解決するための手段】
【０００７】
上記課題を解決するために、本発明のカードリーダは、磁気カードに磁気データを記録する磁気ヘッドに設けられたライト用コイルと、前記ライト用コイルにライト電流を供給する駆動回路とを備え、前記駆動回路は、所定の周期でオンオフが切り換わるチョッピング電流を前記ライト電流として前記ライト用コイルに供給するチョッピング回路であり、前記チョッピング電流のオンオフの周期は、オンとオフを１回ずつ含む期間に前記チョッピング電流によって前記磁気カードに形成される着磁パターンの記録方向の長さが、前記ライト用コイルが巻かれるコア、もしくは、前記ライト用コイルとは別に設けられたリード用コイルが巻かれるコアに形成されたリードギャップより狭い周期であることを特徴と
する。
【０００８】
また、上記課題を解決するために、本発明は、磁気カードに磁気データを記録する磁気ヘッドを備えたカードリーダの制御方法であって、前記磁気ヘッドに設けられたライト用コイルにライト電流を供給する駆動回路から、所定の周期でオンオフが切り換わるチョッピング電流を前記ライト用コイルに供給して、前記磁気カードに磁気データを記録し、前記チョッピング電流のオンオフの周期は、オンとオフを１回ずつ含む期間に前記チョッピング電流によって前記磁気カードに形成される着磁パターンの記録方向の長さが、前記ライト用コイルが巻かれるコア、もしくは、前記ライト用コイルとは別に設けられたリード用コイルが巻かれるコアに形成されたリードギャップより狭い周期であることを特徴とする。
【０００９】
本発明では、磁気データを記録する磁気ヘッドに設けられたライト用コイルにチョッピング電流を供給するため、チョッピング電流のデューティ比を制御することによってライト電流の実効値を調節し、磁気カードへの着磁強度を調節できる。従って、抵抗や複数の電源を用いてライト電流を調節する必要がないので、ライト用コイルの駆動回路の小型化および低コスト化を図ることができ、回路構成を簡素化できる。また、抵抗からの発熱量が大きくなることを回避できる。
【００１０】
また、本発明では、磁気データを読み取る際に誘導電流が発生するコイルが巻かれるコア（ライト用コイルとリード用コイルを兼用する場合は、ライト用コイルが巻かれるコアであり、ライト用コイルとリード用コイルを別にする場合は、リード用コイルが巻かれるコア）に形成されたギャップ（リードギャップ）よりも、チョッピング電流の１回のオンオフの期間に記録される着磁パターンの記録方向の長さの方が短い。従って、チョッピング電流によって記録された磁気データ（着磁パターン）を磁気ヘッドで読み取る際、チョッピング電流のオンオフに起因する着磁パターンの変動が生じたとしても、チョッピング電流のオン期間に記録される着磁パターンのピークがリードギャップの範囲内に少なくとも１箇所は存在するので、チョッピング電流のオンオフに起因する着磁パターンの変動が再生波形に反映されにくい。よって、良好な再生波形を得ることができる。更に、チョッピング電流のデューティ比の調節によって実効値を下げて着磁強度を下げる場合、電圧を低くした場合よりもライト電流の立ち上がりが良いので、記録した磁気データを読み取ると、再生波形が矩形波に近い形状となる。従って、着磁強度が小さい磁気カードに対して、良好な再生波形を得ることが可能な磁気データを記録することができる。
【００１１】
本発明のカードリーダおよびその制御方法において、前記駆動回路に対して、前記チョッピング電流のオンオフの周期を設定する第１制御信号、および、前記チョッピング電流のデューティ比を設定する第２制御信号を供給する構成を採用することができる。このようにすると、チョッピング電流のオンオフの周期とデューティ比を個別に調節することができる。
【００１２】
この場合に、前記第２制御信号は、前記カードの磁気データの着磁強度に対応するデューティ比を設定する信号であることが好ましい。これにより、磁気カードの着磁強度のランクに応じた磁界を発生させることができ、磁気カードの規格に対応した磁気データの記録動作を行うことができる。
【００１３】
本発明のカードリーダにおいて、前記駆動回路として、モータドライバＩＣを用いることができる。
【発明の効果】
【００１４】
本発明によれば、磁気データを記録する磁気ヘッドに設けられたライト用コイルにチョ
ッピング電流を供給するため、チョッピング電流のデューティ比を制御することによってライト電流の実効値を調節し、磁気カードへの着磁強度を調節できる。従って、抵抗や複数の電源電圧を用いてライト電流を調節する必要がないので、ライト用コイルの駆動回路の小型化および低コスト化を図ることができ、回路構成を簡素化できる。また、抵抗からの発熱量が大きくなることを回避できる。
【００１５】
また、本発明によれば、磁気データを読み取る磁気ヘッドのコアに形成されたギャップ（リードギャップ）よりも、チョッピング電流の１回のオンオフの期間に記録される着磁パターンの記録方向の長さの方が短い。従って、チョッピング電流によって記録された磁気データ（着磁パターン）を磁気ヘッドで読み取る際、チョッピング電流のオンオフに起因する着磁パターンの変動が生じたとしても、チョッピング電流のオン期間に記録される着磁パターンのピークがリードギャップの範囲内に少なくとも１箇所は存在するので、チョッピング電流のオンオフに起因する着磁パターンの変動が再生波形に反映されにくい。よって、良好な再生波形を得ることができる。更に、チョッピング電流のデューティ比の調節によって実効値を下げて着磁強度を下げる場合、電圧を低くした場合よりもライト電流の立ち上がりが良いので、記録した磁気データを読み取ると、再生波形が矩形波に近い形状となる。従って、着磁強度が小さい磁気カードに対して、良好な再生波形を得ることが可能な磁気データを記録することができる。
【図面の簡単な説明】
【００１６】
【図１】本発明を適用したカードリーダの説明図および磁気カードの説明図である。
【図２】カードリーダの電気的構成を示すブロック図である。
【図３】チョッピング電流の波形、チョッピング電流による着磁パターン、および再生波形の説明図である。
【発明を実施するための形態】
【００１７】
以下、図面を参照しながら、本発明を適用したカードリーダおよびその制御方法を説明する。図１（ａ）は本発明を適用したカードリーダ１の説明図であり、図１（ｂ）は磁気カード２の説明図である。カードリーダ１は、磁気カード２に形成された磁気ストライプ２ａへの磁気データの書込み、および、磁気ストライプ２ａに記録された磁気データの読み取りを行う。
【００１８】
（全体構成）
カードリーダ１は、カード挿入口５と、ライト用磁気ヘッド６Ａおよびリード用磁気ヘッド６Ｂと、カード挿入口５からライト用磁気ヘッド６Ａおよびリード用磁気ヘッド６Ｂを経由してカード搬送方向Ｘに直線状に延びるカード搬送路７と、カード挿入口５に挿入された磁気カード２をカード搬送路７へ取り込んでカード搬送路７に沿って搬送するカード搬送機構８を備える。ライト用磁気ヘッド６Ａおよびリード用磁気ヘッド６Ｂは、それぞれ、カード搬送路７を通過する磁気カード２に接触可能なセンサ面６１を備える。カード搬送機構８は、磁気カード２を間に挟んで搬送する駆動ローラー８１およびパッドローラー８２を複数組備える。また、カード搬送機構８は、各駆動ローラー８１を回転させる搬送モータ８３を備える。
【００１９】
カードリーダ１は、カード挿入口５に磁気カード２が挿入されると、カード挿入口５に設けられたセンサ５１によって磁気カード２を検出し、搬送モータ８３を駆動して駆動ローラー８１を回転させる。これにより、磁気カード２はカード搬送路７に沿って搬送されて、ライト用磁気ヘッド６Ａおよびリード用磁気ヘッド６Ｂの位置を通過する際に各磁気ヘッドのセンサ面６１に摺接する。磁気カード２に磁気データを書き込む際には、ライト用磁気ヘッド６Ａを駆動して磁気カード２を着磁する磁界を発生させる。また、磁気カード２に記録された磁気データを読み取る際には、磁気カード２がリード用磁気ヘッド６Ｂ
のセンサ面６１を通過する際の磁界の変化を検出する。
【００２０】
（電気的構成）
図２はカードリーダ１の電気的構成を示すブロック図である。カードリーダ１の制御部９は、ＣＰＵ１０を備える。ＣＰＵ１０には、カード挿入口５に設けられたセンサ５１の検出信号が入力される。ＣＰＵ１０は、センサ５１の検出信号に基づいてカード搬送機構８を制御する。ＣＰＵ１０は、図示しないモータドライバに制御信号を出力し、モータドライバからの制御信号によって搬送モータ８３を駆動して、磁気カード２をカード搬送路７の奥側へ搬送する動作、および磁気カード２をカード挿入口５から排出する動作を行う。なお、センサ５１とは異なる位置に別のセンサを設けて、磁気カード２の位置を判定してもよい。
【００２１】
ＣＰＵ１０は、ライト用駆動回路２０を介してライト用磁気ヘッド６Ａを駆動して、磁気カード２に磁気データを記録する。また、ＣＰＵ１０は、磁気カード２の磁気ストライプ２ａがリード用磁気ヘッド６Ｂのセンサ面６１を通過する際、リード用コイル６２Ｂから出力されるアナログ信号に基づきリード用回路３０が出力するデジタルデータを取得する。
【００２２】
図２に示すように、ライト用磁気ヘッド６Ａは、ライト用駆動回路２０からライト電流が供給されるライト用コイル６２Ａと、ライト用コイル６２Ａが巻回されるコア６３Ａを備える。コア６３Ａには、ライト用磁気ヘッド６Ａのセンサ面６１に露出した部分にライトギャップＧａが形成されている。ライト用駆動回路２０は、ＣＰＵ１０から供給される制御信号に基づき、ライト用磁気ヘッド６Ａにライト電流を供給する。
【００２３】
本形態では、ライト用駆動回路２０はモータドライバＩＣであり、ライト電流としてチョッピング電流を生成してライト用コイル６２Ａに供給する。つまり、ライト用駆動回路２０はチョッピング回路である。ＣＰＵ１０は、ライト用駆動回路２０に対して、チョッピング電流のオンオフの周期を設定する第１制御信号Ｓ１、チョッピング電流のデューティ比を設定する第２制御信号Ｓ２、および、発生させる磁界の極性を制御する磁気極性信号である第３制御信号Ｓ３を供給する。第２制御信号Ｓ２は、第１制御信号Ｓ１とは別経路でライト用駆動回路２０に供給される。従って、チョッピング電流のオンオフの周期と、デューティ比は、独立して制御される。
【００２４】
リード用磁気ヘッド６Ｂは、リード用回路３０に接続されるリード用コイル６２Ｂと、リード用コイル６２Ｂが巻回されるコア６３Ｂを備える。コア６３Ｂには、リード用磁気ヘッド６Ｂのセンサ面６１に露出した部分にリードギャップＧｂが形成されている。リード用回路３０は、リード用コイル６２Ｂから出力されるアナログ電流の波形を矩形波に変換し、復調回路によってデジタルデータに変換してＣＰＵ１０へ出力する処理を行う。
【００２５】
（チョッピング制御）
図３はチョッピング電流の波形、チョッピング電流による着磁パターン、および再生波形の説明図である。図３（ａ）はＳ極とＮ極を配列した磁気データの説明図である。図３（ｂ）は図３（ａ）の磁気データを記録するためのチョッピング電流の波形であり、図３（ｃ）は図３（ｂ）のチョッピング電流により形成される着磁パターンである。そして、図３（ｄ）はリード用磁気ヘッド６Ｂで着磁パターンを読み取った再生波形を模式的に示す説明図である。カードリーダ１において、磁気カード２に対する磁気データの記録方向は、カード搬送方向Ｘと一致する方向となる。図３の例は、低抗磁力カード（Ｌｏ−Ｃｏカード）に磁気データを記録するため、チョッピング制御により実効電圧を下げた場合の例である。
【００２６】
ライト用駆動回路２０は、ＣＰＵ１０により設定された周期およびデューティ比でライト電流のオンオフを行ってチョッピング電流を生成し、リード用コイル６２Ｂに供給する。これにより、ライト電流の電源電圧を下げることなく、リード用コイル６２Ｂに流れる実効電圧を小さくする。ＣＰＵ１０は、磁気カード２の着磁強度に応じたデューティ比のチョッピング電流を生成させる。また、ＣＰＵ１０は、チョッピング電流のオンオフの周期が後述する条件を満たすように設定する。
【００２７】
図３（ｂ）に示すように、Ｓ極とＮ極を着磁するときは、チョッピング電流の向きを逆転させてライト用磁気ヘッド６Ａが発生させる磁界の極性を反転させる。図３（ｃ）に示すように、チョッピング電流により形成される着磁パターンは、チョッピング電流のオンオフに対応する変動を備えたパターンとなる。カード搬送速度をＶとするとき、チョッピング電流のオンオフを１回行う期間（すなわち、チョッピング周期Ｔ）に形成される着磁パターンの記録方向（すなわち、カード搬送方向Ｘ）の長さＬｘは、Ｌｘ＝ＶＴとなる。また、チョッピング周期Ｔ＝１／ｆ（ｆ：チョッピング周波数）であるため、Ｌｘ＝Ｖ／ｆである。カードリーダ１では、リード用磁気ヘッド６Ｂによって記録される着磁パターンには、記録方向の長さがＬｘの範囲内に、着磁強度が最も高いピーク点が必ず１箇所含まれる。
【００２８】
チョッピング電流の周波数ｆは、１回のオンオフの期間（チョッピング周期Ｔ）に形成される着磁パターンの記録方向の長さＬｘが、リード用磁気ヘッド６Ｂのコア６３Ｂに形成されたリードギャップＧｂよりも小さくなるように設定されている。すなわち、ＶＴ＜Ｇｂ（Ｖ／ｆ＜Ｇｂ）の条件を満たすように設定されている。このようにすると、チョッピング電流により記録された着磁パターンをリード用磁気ヘッド６Ｂで読み取る際、リードギャップＧｂの範囲に必ず１箇所は着磁パターンのピーク点（着磁強度が最も大きい点）が含まれる。このような構成を実現するため、ＣＰＵ１０は、チョッピング電流のオンオフのタイミングを設定する第１制御信号Ｓ１として、ＶＴ（Ｖ／ｆ）＜Ｇｂの条件を満たすような周期を設定する信号をライト用駆動回路２０に供給する。
【００２９】
図３（ｄ）の再生波形Ａは、チョッピング制御により実効電圧を小さくして記録した着磁パターン（図３（ｃ）の着磁パターン）をリード用磁気ヘッド６Ｂで読み取った際の再生波形である。チョッピング制御によって形成された着磁パターンがリードギャップＧｂを通過する際、上記のように、どのタイミングでもリードギャップＧｂの範囲内に着磁強度が最も高いピーク点が含まれる。従って、その再生波形Ａには、図３（ｃ）の着磁パターンの変動が反映されにくい。従って、図３（ｄ）に示す矩形波に近い良好な再生波形Ａが得られる。従って、記録した磁気データを精度良く再生することができる。
【００３０】
ここで、図３（ｄ）において破線で示す再生波形Ｂは、チョッピング制御を行わず、電圧の低い一定のライト電流で図３（ａ）の磁気データを記録した場合の再生波形である。ライト電流の電圧を下げてライト電流の実効値を下げた場合、再生波形Ｂは、立ち上がりの部分の波形が矩形波のようなシャープな形状にならない。つまり、チョッピング制御を行わない場合は、チョッピング制御により実効電圧を下げた場合のような良好な再生波形を得られないことがわかる。
【００３１】
（本形態の主な効果）
以上説明したように、本形態のカードリーダ１は、磁気データを記録するためのライト用コイル６２Ａにライト電流を供給するライト用駆動回路２０は、所定の周期でオンオフが切り換わるチョッピング電流をライト用コイル６２Ａに供給する。そして、チョッピング電流のデューティ比を制御することによって実効電圧を調節し、磁気カード２への着磁強度を調節する。従って、抵抗や複数の電源を用いてライト電流を調節する必要がないので、ライト用駆動回路２０の小型化および低コスト化を図ることができるとともに、抵抗
からの発熱量が大きくなることを回避できる。
【００３２】
また、本形態では、チョッピング電流により記録された磁気データ（着磁パターン）を読み取るリード用磁気ヘッド６ＢのリードギャップＧｂよりも、チョッピング電流の１回のオンオフの期間（チョッピング周期Ｔ）に記録される着磁パターンの記録方向の長さＬｘの方が短くなるように、チョッピング電流の周波数ｆが設定されている。すなわち、ＶＴ＜Ｇｂ（Ｖ／ｆ＜Ｇｂ）の条件を満たすように設定されている。これにより、リード用磁気ヘッド６Ｂから得られた再生波形Ａには、チョッピング電流のオンオフに起因する着磁パターンの変動が表れにくい。従って、良好な再生波形を得ることができるので、記録した磁気データを精度良く再生することができる。
【００３３】
更に、チョッピング電流によって実効電圧を小さくして記録した着磁パターンは、電圧の低い一定のライト電流によって記録した着磁パターンよりも再生波形の立ち上がりが良好であり、再生波形が矩形波に近い形状となる。従って、低抗磁力カード（Ｌｏ−Ｃｏカード）や、低抗磁力カード（Ｌｏ−Ｃｏカード）と高抗磁力カード（Ｈｉ−Ｃｏカード）の中間の着磁強度のカード（Ｍｉｄ−Ｃｏカード）に磁気データを記録する際、良好な再生波形を得ることができるので、記録した磁気データを精度良く再生することができる。
【００３４】
本形態では、ＣＰＵ１０からライト用駆動回路２０に対して、チョッピング電流のオンオフの周期を設定する第１制御信号Ｓ１を供給するとともに、第１制御信号Ｓ１とは別経路で、チョッピング電流のデューティ比を設定する第２制御信号Ｓ２を供給する。従って、チョッピング電流のオンオフの周期とデューティ比を個別に制御することができるので、良好な再生波形を得ることができる周期のチョッピング電流を供給し、且つ、磁気カード２の規格に応じた着磁強度で磁気データを記録することができる。
【００３５】
（変形例）
（１）上記形態は、ライト用磁気ヘッド６Ａおよびリード用磁気ヘッド６Ｂを備え、ライト用コイル６２Ａとリード用コイル６２Ｂを別々のヘッドに設けた構成であったが、同一のヘッドにライト用コイル６２Ａとリード用コイル６２Ｂを設けることができる。例えば、共通のコアにライト用コイル６２Ａとリード用コイル６２Ｂを巻回し、磁気データを書込む際はライト用駆動回路２０からライト用コイル６２Ａにライト電流を供給し、磁気データを読取る際はリード用コイル６２Ｂに生じた誘導電流をリード用回路３０に出力すればよい。また、ライト用コイル６２Ａとリード用コイル６２Ｂを１つのコイルによって兼用することもできる。
【００３６】
（２）上記形態は、ライト用駆動回路２０がチョッピング回路であり、チョッピング回路としてモータドライバＩＣを用いているが、チョッピング回路として他の回路を用いることができる。例えば、Ｈ−Ｂｒｉｄｂｅ回路を用いてチョッピング回路を構成してもよい。また、トランジスタやＦＥＴを直接ＣＰＵ１０によって制御してチョッピング制御を行うこともできる。
【符号の説明】
【００３７】
１…カードリーダ、２…磁気カード、２ａ…磁気ストライプ、５…カード挿入口、６Ａ…ライト用磁気ヘッド、６Ｂ…リード用磁気ヘッド、７…カード搬送路、８…カード搬送機構、９…制御部、２０…ライト用駆動回路、３０…リード用回路、５１…センサ、６１…センサ面、６２Ａ…ライト用コイル、６２Ｂ…リード用コイル、６３Ａ、６３Ｂ…コア、８１…駆動ローラー、８２…パッドローラー、８３…搬送モータ、Ａ、Ｂ…再生波形、Ｇａ…ライトギャップ、Ｇｂ…リードギャップ、Ｓ１…第１制御信号、Ｓ２…第２制御信号、Ｓ３…第３制御信号、Ｔ…チョッピング周期、Ｖ…カード搬送速度、Ｘ…カード搬送方向
【図１】
2019109949.tif 000003
【図２】
2019109949.tif 000004
【図３】
2019109949.tif 000005